(57)【要約】【課題】マスク本体部の左右の端部と着用者の頬との間に生じる隙間の抑制機能を向上させたマスクを提供する。【解決手段】シート材で形成されたマスク本体部１と、右耳掛け部２及び左耳掛け部３と、を備えるマスク１００であって、マスク本体部１は、上部プリーツ１１及び下部プリーツ１２と、右端部接合部１５及び左端部接合部１６と、を有し、右端部接合部１５及び左端部接合部１６は、マスク本体部１の左右の端部近傍に、上下方向に沿って延在する直線状に形成された右端部第１接合部１５１又は左端部第１接合部１６１と、上下方向中央部付近に、右端部第１接合部１５１又は左端部第１接合部１６１側へと凸状となる凸部が形成された右端部第２接合部１５２又は左端部第２接合部１６２と、を備え、前記凸部は、上下方向に沿って延在する直線状に形成された中央部直線部１５２２、１６２２を有する。【選択図】図２
2020084388.tif 000002
【特許請求の範囲】
【請求項１】
シート材で形成され、着用者の顔面の対象部位を覆うマスク本体部と、当該マスク本体部を前記着用者の耳に係止するための左右一対の耳掛け部と、を備えるマスクであって、
前記マスク本体部は、
上下方向に広げることが可能な折り目であるプリーツと、
前記プリーツが折り畳まれた状態で前記シート材を接合する左右一対のプリーツ抑え部と、を有し、
前記プリーツ抑え部は、
前記マスク本体部の左右の端部近傍に、上下方向に沿って延在する直線状に形成された第１接合部と、
少なくとも上端部及び下端部において前記第１接合部よりも前記マスク本体部の左右方向中央寄りの位置に形成され、上下方向中央部付近に、前記第１接合部側へと凸状となる凸部が形成された第２接合部と、を備え、
前記凸部は、上下方向に沿って延在する直線状に形成された中央部直線部を有することを特徴とするマスク。
【請求項２】
前記中央部直線部は、前記第１接合部と重なることを特徴とする請求項１に記載のマスク。
【請求項３】
前記中央部直線部は、前記第１接合部よりもマスク本体部の端部寄りの位置に形成され、前記第１接合部と前記第２接合部とが２点で交わっていることを特徴とする請求項１に記載のマスク。
【請求項４】
前記第２接合部は、
前記マスク本体部の上端部近傍に、上下方向に沿って延在する直線状に形成された上部直線部と、
前記マスク本体部の下端部近傍に、上下方向に沿って延在する直線状に形成された下部直線部と、
前記上部直線部と、前記中央部直線部とを接続する上部斜線部と
前記下部直線部と、前記中央部直線部とを接続する下部斜線部と、
を備えることを特徴とする請求項１から３のいずれか一項に記載のマスク。
【請求項５】
前記上部直線部と前記上部斜線部との接続部、前記上部斜線部と前記中央部直線部との接続部、前記中央部直線部と前記下部斜線部との接続部及び前記下部斜線部と前記下部直線部との接続部のうち、少なくとも一つは、前記プリーツの折り目と重なることを特徴とする請求項４に記載のマスク。
【請求項６】
前記上部直線部と前記上部斜線部との接続部、前記上部斜線部と前記中央部直線部との接続部、前記中央部直線部と前記下部斜線部との接続部及び前記下部斜線部と前記下部直線部との接続部の全てが、前記プリーツの折り目と重なることを特徴とする請求項５に記載のマスク。
【請求項７】
前記プリーツは、前記マスク本体部の上下方向中央部よりも上部に形成された、上方に凸となる折り目である２か所の上部プリーツと、前記マスク本体部の上下方向中央部よりも下部に形成された、下方に凸となる折り目である２か所の下部プリーツと、を含み、
前記上部直線部と前記上部斜線部との接続部及び前記上部斜線部と前記中央部直線部との接続部は、前記上部プリーツの折り目と重なり、
前記中央部直線部と前記下部斜線部との接続部及び前記下部斜線部と前記下部直線部との接続部は、前記下部プリーツの折り目と重なることを特徴とする請求項５又は６に記載のマスク。
【請求項８】
前記プリーツは、前記マスク本体部の上下方向中央部よりも上部に形成された、上方に凸となる折り目である１か所の上部プリーツと、前記マスク本体部の上下方向中央部よりも下部に形成された、下方に凸となる折り目である２か所の下部プリーツと、を含み、
前記上部直線部と前記上部斜線部との接続部は、前記上部プリーツの折り目と重なり、
前記中央部直線部と前記下部斜線部との接続部及び前記下部斜線部と前記下部直線部との接続部は、前記下部プリーツの折り目と重なることを特徴とする請求項５に記載のマスク。
【発明の詳細な説明】
【技術分野】
【０００１】
本発明は、マスクに関する。
【背景技術】
【０００２】
疾病時、花粉又は黄砂等の粉塵飛来時、その他の日常生活において使用されるマスクとして、マスク本体部にプリーツが形成され、着用時には上下方向に展開させることを可能としたものが存在している。このようなマスクは、プリーツを上下方向に広げて着用することにより、マスク本体部が山型の立体的形状となり、着用者の鼻や口の周辺に空間が形成され、呼吸がし易くなる点等に利点がある。
【０００３】
このようなプリーツタイプのマスクでは、マスク本体部の左右両端部近傍に、プリーツの広がりを押さえるため、プリーツを折り畳まれた状態で固定したプリーツ抑え部が形成されている。これにより、マスク本体部を上下方向に広げた際に、マスク本体部の左右方向中央部付近は上下方向に広がるが、左右両端部近傍は上下方向に広がらないことから、これにより生じた歪みにより、マスク本体部の左右両側の上下方向中央部付近において着用者の頬との間に隙間が形成されて、マスクの機能低下を招く原因となっていた。
【０００４】
そこで、このような隙間の形成を抑制するために、マスク本体部の左右両側のプリーツ抑え部につき、マスク本体部の上下方向中央部付近において、マスク本体部の左右方向外側に向けて凸状となるように形成したマスクが知られている（例えば、特許文献１及び２参照）。
このようなマスクは、マスク本体部の上下方向中央部付近において、左右のプリーツ抑え部の間の間隔が広くなるように形成することにより、プリーツを広げた際に隙間が生じ易いマスク本体部の左右両端部の上下方向中央部付近を着用者の頬側へと変形し易くし、上記のような隙間が生じることを抑制することを意図している。
【先行技術文献】
【特許文献】
【０００５】
【特許文献１】実用新案登録第３１０８８８０号公報
【特許文献２】特許第５６７６０９０号公報
【発明の概要】
【発明が解決しようとする課題】
【０００６】
特許文献１及び２に記載の発明においては、いずれも、プリーツ抑え部につき、マスク本体部の左右方向外側に向けて円弧状の凸状部を有するように形成されているが、この場合、当該円弧の上下方向中央部に歪みが集中し、マスク本体部が当該円弧の中央部で折れ曲がり易い。
そして、このような折れ曲がった部分の上下において、隙間が生じ易くなることから、マスク本体部の左右の端部と着用者の頬との間に隙間が生じることを、十分に抑制できなかった。
【０００７】
本発明は、マスク本体部の左右の端部と着用者の頬との間に生じる隙間の抑制機能を向上させたマスクを提供することを目的とする。
【課題を解決するための手段】
【０００８】
上記課題を解決するために、請求項１に記載の発明は、
シート材で形成され、着用者の顔面の対象部位を覆うマスク本体部と、当該マスク本体部を前記着用者の耳に係止するための左右一対の耳掛け部と、を備えるマスクであって、
前記マスク本体部は、
上下方向に広げることが可能な折り目であるプリーツと、
前記プリーツが折り畳まれた状態で前記シート材を接合する左右一対のプリーツ抑え部と、を有し、
前記プリーツ抑え部は、
前記マスク本体部の左右の端部近傍に、上下方向に沿って延在する直線状に形成された第１接合部と、
少なくとも上端部及び下端部において前記第１接合部よりも前記マスク本体部の左右方向中央寄りの位置に形成され、上下方向中央部付近に、前記第１接合部側へと凸状となる凸部が形成された第２接合部と、を備え、
前記凸部は、上下方向に沿って延在する直線状に形成された中央部直線部を有することを特徴とする。
本発明によれば、マスク本体部の左右の端部と着用者の頬との間に生じる隙間の抑制機能を向上させることができる。
【０００９】
請求項２に記載の発明は、請求項１に記載のマスクにおいて、前記中央部直線部は、前記第１接合部と重なることを特徴とする。
本発明によれば、マスクの見栄えを向上できる。
【００１０】
請求項３に記載の発明は、請求項１に記載のマスクにおいて、前記中央部直線部は、前記第１接合部よりもマスク本体部の端部寄りの位置に形成され、前記第１接合部と前記第２接合部とが２点で交わっていることを特徴とする。
本発明によれば、マスクの見栄えを向上しつつ、プリーツ抑え部の接合の強度も高めることができる。
【００１１】
請求項４に記載の発明は、請求項１から３のいずれか一項に記載のマスクにおいて、
前記第２接合部は、
前記マスク本体部の上端部近傍に、上下方向に沿って延在する直線状に形成された上部直線部と、
前記マスク本体部の下端部近傍に、上下方向に沿って延在する直線状に形成された下部直線部と、
前記上部直線部と、前記中央部直線部とを接続する上部斜線部と
前記下部直線部と、前記中央部直線部とを接続する下部斜線部と、
を備えることを特徴とする。
本発明によれば、マスクの見栄えを向上できる。
【００１２】
請求項５に記載の発明は、請求項４に記載のマスクにおいて、
前記上部直線部と前記上部斜線部との接続部、前記上部斜線部と前記中央部直線部との接続部、前記中央部直線部と前記下部斜線部との接続部及び前記下部斜線部と前記下部直線部との接続部のうち、少なくとも一つは、前記プリーツの折り目と重なることを特徴とする。
本発明によれば、さらにマスク本体部の左右の端部と着用者の頬との間に生じる隙間の抑制機能を向上させることができる。
【００１３】
請求項６に記載の発明は、請求項５に記載のマスクにおいて、
前記上部直線部と前記上部斜線部との接続部、前記上部斜線部と前記中央部直線部との接続部、前記中央部直線部と前記下部斜線部との接続部及び前記下部斜線部と前記下部直線部との接続部の全てが、前記プリーツの折り目と重なることを特徴とする。
本発明によれば、さらにマスク本体部の左右の端部と着用者の頬との間に生じる隙間の抑制機能を向上させることができる。
【００１４】
請求項７に記載の発明は、請求項５又は６に記載のマスクにおいて、
前記プリーツは、前記マスク本体部の上下方向中央部よりも上部に形成された、上方に凸となる折り目である２か所の上部プリーツと、前記マスク本体部の上下方向中央部よりも下部に形成された、下方に凸となる折り目である２か所の下部プリーツと、を含み、
前記上部直線部と前記上部斜線部との接続部及び前記上部斜線部と前記中央部直線部との接続部は、前記上部プリーツの折り目と重なり、
前記中央部直線部と前記下部斜線部との接続部及び前記下部斜線部と前記下部直線部との接続部は、前記下部プリーツの折り目と重なることを特徴とする。
本発明によれば、さらにマスク本体部の左右の端部と着用者の頬との間に生じる隙間の抑制機能を向上させることができる。
【００１５】
請求項８に記載の発明は、請求項５に記載のマスクにおいて、
前記プリーツは、前記マスク本体部の上下方向中央部よりも上部に形成された、上方に凸となる折り目である１か所の上部プリーツと、前記マスク本体部の上下方向中央部よりも下部に形成された、下方に凸となる折り目である２か所の下部プリーツと、を含み、
前記上部直線部と前記上部斜線部との接続部は、前記上部プリーツの折り目と重なり、
前記中央部直線部と前記下部斜線部との接続部及び前記下部斜線部と前記下部直線部との接続部は、前記下部プリーツの折り目と重なることを特徴とする。
本発明によれば、さらにマスク本体部の左右の端部と着用者の頬との間に生じる隙間の抑制機能を向上させることができる。
【発明の効果】
【００１６】
本発明によれば、マスク本体部の左右の端部と着用者の頬との間に生じる隙間の抑制機能を向上させたマスクを提供することができる。
【図面の簡単な説明】
【００１７】
【図１】実施形態に係るマスクを示す斜視図である。
【図２】実施形態に係るマスクを示す正面図である。
【図３】図２のIII-III部における断面図である。
【図４】変形例１に係るマスクを示す正面図である。
【図５】変形例２に係るマスクを示す正面図である。
【発明を実施するための形態】
【００１８】
以下、本発明の実施形態であるマスク１００の具体的な態様について、図１から図３に基づいて説明する。ただし、本発明の技術的範囲は図示例に限定されるものではない。
なお、以下においては、図１に示すように、マスクの着用者から見た方向を基準として、前後、左右及び上下を定めて説明する。
【００１９】
［構成の説明］
｛全体構成｝
マスク１００は、図１及び図２に示すように、着用者の顔面の鼻、口、顎等を覆うマスク本体部１と、マスク本体部１を着用者の右耳に掛止するための右耳掛け部２と、マスク本体部１を着用者の左耳に掛止するための左耳掛け部３と、を備えている。なお、マスク１００は、マスク本体部１の後面側を着用者の顔面に向けて着用される。
【００２０】
｛マスク本体部｝
マスク本体部１は、図１から図３に示すように、複数のシート材によって正面視略矩形状に形成されている。
マスク本体部１は、左右方向に、好ましくは１２０ｍｍから２１０ｍｍ、さらに好ましくは１４５ｍｍから１７５ｍｍ、上下方向に、好ましくは７０ｍｍから１００ｍｍ、さらに好ましくは８０ｍｍから９０ｍｍに形成される。
【００２１】
マスク本体部１は、図３に示すように、肌から遠い面から順に、マスク本体部１の肌から最も遠い面に位置する外面側不繊布１ａ、フィルター１ｂ、マスク本体部１の肌から最も近い面に位置する着用者側不繊布１ｃの順にシート材を積層して形成されている。
また、図１及び図２に示すように、マスク本体部１の左右両端部に、マスク本体部１の端部を覆い、前面側から後面側へと周り込むように備えられたサイドカバー１ｄを備えている。サイドカバー１ｄは、外面側不繊布１ａ、フィルター１ｂ及び着用者側不繊布１ｃが、積層された状態で折り畳まれ、後述の上部プリーツ１１及び下部プリーツ１２が形成された状態で、その上から取り付けられている。
なお、図示していないが、マスク本体部１の後面側においても、サイドカバー１ｄは、表面側と左右方向に略同一の位置まで、マスク本体部１を覆うように備えられている。
【００２２】
具体的なシート材としては、例えば外面側不繊布１ａ及び着用者側不繊布１ｃとして、ポリプロピレンスパンボンド、ポリエチレンスパンボンド、ナイロンスパンボンド等が用いられ、フィルター１ｂとして、ポリプロピレンメルトブロー、レーヨンスパンボンド等が用いられる。また、着用者側不繊布１ｃには、保湿剤、柔軟剤、抗菌剤等を塗布することも可能である。
最も好適には、外面側不繊布１ａとしてポリプロピレンスパンボンドが用いられ、着用者側不繊布１ｃとして保湿剤を塗布したナイロンスパンボンドが用いられ、これらの間に挟み込まれるフィルター１ｂとしてポリプロピレンメルトブローが用いられる。
また、サイドカバー１ｄに用いられるシート材としては、特に限定はないが、例えば、外面側不繊布１ａ及び着用者側不繊布１ｃと同様に、ポリプロピレンスパンボンド、ポリエチレンスパンボンド、ナイロンスパンボンド等を用いればよい。
【００２３】
なお、マスク本体部１の構成は上記のものに限られず、さらに多数のシート材を積層してもよいし、３枚よりも少数のシート材から形成してもよい。また、マスク本体部の端部の強度は低下するものの、サイドカバー１ｄは備えずともよい。
【００２４】
（プリーツ）
外面側不繊布１ａ、フィルター１ｂ及び着用者側不繊布１ｃは、重ねられた上で、図３に示すように上下方向に折り返されており、これによって、前面側に、図１から図３に示すように、上部プリーツ１１（上部第１プリーツ１１１、上部第２プリーツ１１２）と、下部プリーツ１２（下部第１プリーツ１２１、下部第２プリーツ１２２）とが形成されている。マスク１００の着用時には、これらを上下方向に展開することによって、マスク本体部１が外側に膨出する山型の立体形状となって、着用者の顔面の鼻、口、顎等が覆われるようになっている。
【００２５】
上部プリーツ１１は、図１から図３に示すように、マスク本体部１前面の上下方向中央部よりも上部に形成された、上方に凸となる折り目であり、上下方向に展開することができる。本実施形態においては、上部プリーツ１１は、上から順に上部第１プリーツ１１１と、上部第２プリーツ１１２とを含む。
【００２６】
下部プリーツ１２は、図１から図３に示すように、マスク本体部１前面の上下方向中央部よりも下部に形成された、下方に凸となる折り目であり、上下方向に展開することができる。本実施形態においては、下部プリーツ１２は、下から順に下部第１プリーツ１２１と、下部第２プリーツ１２２と、を含む。
【００２７】
各プリーツは、マスク本体部１の上下方向中央部を含む、上部第２プリーツ１１２と、下部第２プリーツ１２２との間の部分の間隔が、最も広くなるように配置されていることが好ましい。これによって、着用者の口元の空間を確保し易くなる。
【００２８】
（接合部）
マスク本体部１を形成する外面側不繊布１ａ、フィルター１ｂ、着用者側不繊布１ｃ及びサイドカバー１ｄは、図１及び図２に示すように、上下及び左右の端部付近において、熱・超音波等によって前後に溶着されており、上端部付近に上端部接合部１３が、下端部付近に下端部接合部１４が、右端部付近に右端部接合部１５が、左端部付近に左端部接合部１６が形成されている。なお、図１及び図２においては、いずれの接合部についても、破線状に形成された場合につき図示しているが、これに限られず、例えば実線状に形成されていてもよい。
【００２９】
（上端部接合部及び下端部接合部）
上端部接合部１３及び下端部接合部１４は、図１から図３に示すように、マスク本体部１の上端部近傍及び下端部近傍に、左右方向に延在する直線状に形成されている。
【００３０】
（右端部接合部及び左端部接合部）
右端部接合部１５及び左端部接合部１６は、外面側不繊布１ａ、フィルター１ｂ及び着用者側不繊布１ｃが重ねられた上で折り返され、上部プリーツ１１（上部第１プリーツ１１１及び上部第２プリーツ１１２）並びに下部プリーツ１２（下部第１プリーツ１２１及び下部第２プリーツ１２２）が形成された状態で、これらプリーツをマスク本体部１の左右の端部近傍で固定するようにして、以下のように形成されている。すなわち、右端部接合部１５及び左端部接合部１６が、本発明におけるプリーツ抑え部である。
なお、図１及び図２に示すように、サイドカバー１ｄを他のシート材に強固に接合するため、右端部接合部１５及び左端部接合部１６の全体が、サイドカバー１ｄが備えられた部分に形成されていることが好ましいが、これに限られず、例えば、後述の右端部第２接合部１５２及び左端部第２接合部１６２の一部が、サイドカバー１ｄが備えられていない部分に形成されていてもよい。
【００３１】
（右端部接合部）
右端部接合部１５は、図２に示すように、右端部第１接合部１５１と、右端部第２接合部１５２と、を備える。
【００３２】
（右端部第１接合部）
右端部第１接合部１５１は、図２に示すように、マスク本体部１の右端部近傍において、マスク本体部１の右端部に沿って上下方向に延在する直線状に形成されている。
右端部第１接合部１５１は、マスク本体部１の右端部からの間隔が、１ｍｍから１０ｍｍの位置に形成されることが好ましく、２ｍｍから５ｍｍの位置に形成されることがさらに好ましい。
【００３３】
（右端部第２接合部）
右端部第２接合部１５２は、図２に示すように、マスク本体部１の右端部近傍において、少なくとも上端部及び下端部において右端部第１接合部１５１よりもマスク本体部１の中央部寄りに形成され、上部直線部１５２１、中央部直線部１５２２、下部直線部１５２３、上部斜線部１５２４及び下部斜線部１５２５を有する。
右端部第２接合部１５２の形成位置は、上部直線部１５２１及び下部直線部１５２３とマスク本体部１の右端部との左右方向の間隔が５ｍｍから１０ｍｍ、上部直線部１５２１及び下部直線部１５２３と右端部第１接合部１５１との左右方向の間隔が、２ｍｍから４ｍｍであることが好ましい。
【００３４】
上部直線部１５２１は、図２に示すように、マスク本体部１の上端部から、上部第１プリーツ１１１までの部分に、右端部第１接合部１５１と平行に、上下方向に延在する直線状に形成された部分である。
【００３５】
下部直線部１５２３は、図２に示すように、マスク本体部１の下端部から、下部第１プリーツ１２１までの部分に、右端部第１接合部１５１と平行に、上下方向に延在する直線状に形成された部分である。
【００３６】
中央部直線部１５２２は、図２に示すように、上部第２プリーツ１１２と、下部第２プリーツ１２２との間の部分に、上下方向に延在する直線状に形成された部分である。また、本実施形態において中央部直線部１５２２は、右端部第１接合部１５１の上下方向中央部付近と重なり、共通となるように形成されている。
【００３７】
上部斜線部１５２４は、図２に示すように、上部第１プリーツ１１１と上部第２プリーツ１１２との間の部分に、上部直線部１５２１と中央部直線部１５２２とを接続するように斜めに延在する曲線状に形成された部分である。
【００３８】
下部斜線部１５２５は、図２に示すように、下部第１プリーツ１２１と下部第２プリーツ１２２との間の部分に、下部直線部１５２３と中央部直線部１５２２とを接続するように斜めに延在する曲線状に形成された部分である。
【００３９】
（左端部接合部）
左端部接合部１６は、図１及び図２に示すように、左端部第１接合部１６１と、左端部第２接合部１６２と、を備える。
【００４０】
（左端部第１接合部）
左端部第１接合部１６１は、図１及び図２に示すように、マスク本体部１の左端部近傍において、マスク本体部１の左端部に沿って上下方向に延在する直線状に形成されている。
左端部第１接合部１６１は、マスク本体部１の左端部からの間隔が、１ｍｍから１０ｍｍの位置に形成されることが好ましく、２ｍｍから５ｍｍの位置に形成されることがさらに好ましい。
【００４１】
（左端部第２接合部）
左端部第２接合部１６２は、図１及び図２に示すように、マスク本体部１の左端部近傍において、少なくとも上端部及び下端部において左端部第１接合部１６１よりもマスク本体部１の中央部寄りに形成され、上部直線部１６２１、中央部直線部１６２２、下部直線部１６２３、上部斜線部１６２４及び下部斜線部１６２５を有する。
左端部第２接合部１６２の形成位置は、上部直線部１６２１及び下部直線部１６２３とマスク本体部１の左端部との左右方向の間隔が５ｍｍから１０ｍｍ、上部直線部１６２１及び下部直線部１６２３と左端部第１接合部１６１との左右方向の間隔が、２ｍｍから４ｍｍであることが好ましい。
【００４２】
上部直線部１６２１は、図１及び図２に示すように、マスク本体部１の上端部から、上部第１プリーツ１１１までの部分に、左端部第１接合部１６１と平行に、上下方向に延在する直線状に形成された部分である。
【００４３】
下部直線部１６２３は、図１及び図２に示すように、マスク本体部１の下端部から、下部第１プリーツ１２１までの部分に、左端部第１接合部１６１と平行に、上下方向に延在する直線状に形成された部分である。
【００４４】
中央部直線部１６２２は、図１及び図２に示すように、上部第２プリーツ１１２と、下部第２プリーツ１２２との間の部分に、上下方向に延在する直線状に形成された部分である。また、本実施形態において中央部直線部１６２２は、左端部第１接合部１６１の上下方向中央部付近と重なり、共通となるように形成されている。
【００４５】
上部斜線部１６２４は、図１及び図２に示すように、上部第１プリーツ１１１と上部第２プリーツ１１２との間の部分に、上部直線部１６２１と中央部直線部１６２２とを接続するように斜めに延在する曲線状に形成された部分である。
【００４６】
下部斜線部１６２５は、図１及び図２に示すように、下部第１プリーツ１２１と下部第２プリーツ１２２との間の部分に、下部直線部１６２３と中央部直線部１６２２とを接続するように斜めに延在する曲線状に形成された部分である。
【００４７】
（その他の構成）
その他に、マスク本体部１は、マスク本体部１の上部が着用者の鼻付近の形状に沿って、隙間が生じないようにするための鼻部補強部材を備えてもよい。鼻部補強部材は、ポリプロピレン樹脂、ポリエチレン樹脂、ポリエステル樹脂等によって形成された、左右方向に長い可塑性を有する部材を、マスク本体部１の上部に備えることによって形成される。
また、マスク本体部１は、マスク本体部１の着用者の口元付近の形状を維持するための口部補強部材を備えてもよい。口部補強部材も、ポリプロピレン樹脂、ポリエチレン樹脂、ポリエステル樹脂等によって形成された、左右方向に長い可塑性を有する部材を、マスク本体部１の上下方向中央部付近に備えることによって形成される。
【００４８】
｛耳掛け部｝
右耳掛け部２及び左耳掛け部３は、いずれもポリウレタン等の伸縮性を有する材料によって形成された紐状の部材をマスク本体部１に取り付けることによって形成されている。
具体的には、図１及び図２に示すように、右耳掛け部２はマスク本体部１の右側において、紐状の部材の一方の端部をマスク本体部１の右端部の上部に熱・超音波等によって溶着させ、他方の端部をマスク本体部１の右端部の下部に熱・超音波等によって溶着させることによって形成されている。また左耳掛け部３はマスク本体部１の左側において、紐状の部材の一方の端部をマスク本体部１の左端部の上部に熱・超音波等によって溶着させ、他方の端部をマスク本体部１の左端部の下部に熱・超音波等によって溶着させることによって形成されている。
右耳掛け部２及び左耳掛け部３は、いずれも一端部から他端部までの長さが、好ましくは１４０ｍｍから２００ｍｍ、さらに好ましくは１６０ｍｍから１８０ｍｍとなるように形成される。
【００４９】
［効果の説明］
実施形態に係るマスク１００によれば、右端部接合部１５の右端部第２接合部１５２に、マスク本体部１の上下方向中央部付近において、中央部直線部１５２２、上部斜線部１５２４及び下部斜線部１５２５によって、右側への凸部が形成され、左端部接合部１６の左端部第２接合部１６２に、マスク本体部１の上下方向中央部付近において、中央部直線部１６２２、上部斜線部１６２４及び下部斜線部１６２５によって、左側への凸部が形成されている。
このような凸部によって、プリーツを広げて着用した際に隙間が生じやすいマスク本体部１の左右両端部の上下方向中央部付近において、右端部接合部１５と左端部接合部１６との左右方向の間隔が広くなることにより、プリーツを広げた際に隙間が生じ易いマスク本体部の左右両端部の上下方向中央部付近が着用者の頬側へと変形し易くなる。
【００５０】
しかし、このように右端部接合部及び左端部接合部に凸部が形成されていても、特許文献１及び特許文献２に記載の発明のように、このような凸部の全体が円弧状に形成されていると、マスク本体部の左右の端部が着用者の頬側へと変形する際に、円弧状の凸部の上下方向中央部の一箇所にマスク本体部の端部を曲げようとする力が集中し、当該箇所において折れ目が生じ易くなる。この場合、マスク本体部の左右の端部が着用者の肌に沿わず、折れ目の上下に隙間が生じ易くなることから、マスク本体部の左右の端部と着用者の頬との間に生じる隙間の抑制機能は十分ではない。
これに対して、本実施形態においては、このような凸部の上下方向中央部が、中央部直線部１５２２又は中央部直線部１６２２とされていることで、凸部の上下方向中央部が直線となることから、上下方向中央部の一箇所にマスク本体部の端部を曲げようとする力が集中することがなくなり、このような力が上下に分散される。
これによって、マスク本体部の左右の端部が上下方向中央部において折れ曲がり難くなり、着用者の肌に沿い易くなることから、マスク本体部の左右の端部と着用者の頬との間に生じる隙間の抑制機能を向上することができる。
【００５１】
また、特許文献１及び２に記載の発明のように、左右の端部に向けて凸部が形成された接合部のみを形成すると、マスク本体部の左右両端部の上端部付近及び下端部付近において、接合部と、マスクの左右の端部との間のプリーツが固定されていない部分の間隔が広くなってしまうこととなり、マスクの見栄えを悪化させる。
本実施形態によれば、右端部接合部１５が、右端部第２接合部１５２の右側に、上下方向にマスク本体部１の右端部に沿って延在する直線状に形成された右端部第１接合部１５１を備え、左端部接合部１６が、左端部第２接合部１６２の左側に、上下方向にマスク本体部１の左端部に沿って延在する直線状に形成された左端部第１接合部１６１を備えることで、右端部接合部１５とマスク本体部１の右端部との間隔及び左端部接合部１６とマスク本体部１の左端部との間隔を、上下方向に一定とすることができ、マスク本体部の左右両端部の上端部付近及び下端部付近において、接合部と、マスクの左右方向の端部との間のプリーツが固定されていない部分の間隔が広くなってしまうことによる見栄えの悪化を抑制できる。
【００５２】
また、右端部接合部１５において、右端部第１接合部１５１と、右端部第２接合部１５２の中央部直線部１５２２とが重なり、左端部接合部１６において、左端部第１接合部１６１と、左端部第２接合部１６２の中央部直線部１６２２とが重なるように形成されていることで、右端部第２接合部１５２及び左端部第２接合部１６２に凸部を備えつつ、右端部接合部１５及び左端部接合部１６の左右方向の幅を小さくすることができ、右端部接合部１５及び左端部接合部１６による、マスクの見栄えの悪化を抑制できる。
【００５３】
また、右端部第２接合部１５２が、マスク本体部１の上端部から上部第１プリーツ１１１までの部分に上部直線部１５２１を有し、マスク本体部１の下端部から下部第１プリーツ１２１までの部分に下部直線部１５２３有し、左端部第２接合部１６２が、マスク本体部１の上端部から上部第１プリーツ１１１までの部分に上部直線部１６２１を有し、マスク本体部１の下端部から下部第１プリーツ１２１までの部分に下部直線部１６２３を有することで、右端部第２接合部１５２及び左端部第２接合部１６２の上端部付近及び下端部付近が、マスク本体部１の中央部に寄りすぎてしまうことを防止でき、マスクの見栄えの悪化を抑制できる。
【００５４】
また、本実施形態によれば、右端部第２接合部１５２は、上部直線部１５２１と上部斜線部１５２４との接続部及び上部斜線部１５２４と中央部直線部１５２２との接続部が、上部プリーツ１１の折り目と重なり、中央部直線部１５２２と下部斜線部１５２５との接続部及び下部斜線部１５２５と下部直線部１５２３との接続部が、下部プリーツ１２の折り目と重なる位置に形成されている。
また、左端部第２接合部１６２は、上部直線部１６２１と上部斜線部１６２４との接続部及び上部斜線部１６２４と中央部直線部１６２２との接続部が、上部プリーツ１１の折り目と重なり、中央部直線部１６２２と下部斜線部１６２５との接続部及び下部斜線部１６２５と下部直線部１６２３との接続部が、下部プリーツ１２の折り目と重なる位置に形成されている。
プリーツの位置は、プリーツを広げる際にマスク本体部１の左右方向両端部を変形させようとする力が特に強く働く部分であるが、この部分に、右端部第２接合部１５２及び左端部第２接合部１６２において、直線部と斜線部とが切り替わる点が位置することで、このようなプリーツ位置においてマスクの左右方向両端部を変形させようとする力を分散し易くなり、さらにマスク本体部の左右の端部と着用者の頬との間に生じる隙間の抑制機能を向上することができる。
また、このような効果は、上部斜線部１５２４及び上部斜線部１６２４並びに下部斜線部１５２５及び下部斜線部１６２５が曲線状に形成されていることで、さらに高めることができる。
【００５５】
［変形例］
以下、上記実施形態の変形例につき、図４及び図５に基づいて説明する。
【００５６】
（変形例１）
図４に示すマスク１００Ａのように、右端部接合部１５Ａを、右端部第２接合部１５２Ａの中央部直線部１５２２が、右端部第１接合部１５１よりも右側に位置するように形成し、左端部接合部１６Ａを、左端部第２接合部１６２Ａの中央部直線部１６２２が、左端部第１接合部１６１よりも左側に位置するように形成してもよい。
この場合、右端部接合部１５Ａにおいては、右端部第１接合部１５１と右端部第２接合部１５２Ａとが２点で交差して、上下方向中央部付近において、右端部第２接合部１５２Ａの方が右端部第１接合部１５１よりも右側に位置することとなる。
また、左端部接合部１６Ａにおいては、左端部第１接合部１６１と左端部第２接合部１６２Ａとが２点で交差して、上下方向中央部付近において、左端部第２接合部１６２Ａの方が左端部第１接合部１６１よりも左側に位置することとなる。
この場合、右端部第１接合部１５１と、右端部第２接合部１５２の中央部直線部１５２２との間隔、及び、左端部第１接合部１６１と、左端部第２接合部１６２の中央部直線部１６２２との間隔が、１ｍｍから６ｍｍであることが好ましく、２ｍｍから４ｍｍであることがさらに好ましい。
【００５７】
変形例１によれば、右端部接合部１５Ａ及び左端部接合部１６Ａの左右方向の幅が、上記実施形態よりも僅かに広くなり、見栄えの上では、上記実施形態と比較すると好ましくないものの、その点を除いて上記実施形態と同様の効果を得ることができると共に、上下方向中央部においても接合部を二重にできることから、左右両端部近傍でのプリーツの固定を強固にすることができる。
【００５８】
（変形例２）
プリーツの配置は上記実施形態におけるものと異なっていてもよく、上記実施形態よりも少数又は多数のプリーツが形成されていてもよい。
【００５９】
例えば、図５に示すマスク１００Ｂのように、上部プリーツとして、上部第１プリーツ１１１のみが備えられていてもよい。
ただし、この場合、右端部第２接合部１５２においては、上部直線部１５２１と上部斜線部１５２４との接続部及び上部斜線部１５２４と中央部直線部１５２２との接続部の両者を上部プリーツの折り目と重ねることはできず、左端部第２接合部１６２においては、上部直線部１６２１と上部斜線部１６２４との接続部及び上部斜線部１６２４と中央部直線部１６２２との接続部の両者を上部プリーツの折り目と重ねることはできない。
そこで、この場合には、図５に示すように、右端部第２接合部１５２においては、上部直線部１５２１と上部斜線部１５２４との接続部が上部第１プリーツ１１１の折り目と重なり、左端部第２接合部１６２においては、上部直線部１６２１と上部斜線部１６２４との接続部が、上部第１プリーツ１１１の折り目と重なるように形成することが好ましい。
【００６０】
その他に、マスク本体部にプリーツが４か所以上形成される場合には、右端部第２接合部１５２は、上部直線部１５２１と上部斜線部１５２４との接続部、上部斜線部１５２４と中央部直線部１５２２との接続部、中央部直線部１５２２と下部斜線部１５２５との接続部及び下部斜線部１５２５と下部直線部１５２３との接続部の全てがプリーツの折り目と重なる位置に形成され、左端部第２接合部１６２は、上部直線部１６２１と上部斜線部１６２４との接続部、上部斜線部１６２４と中央部直線部１６２２との接続部、中央部直線部１６２２と下部斜線部１６２５との接続部及び下部斜線部１６２５と下部直線部１６２３との接続部の全てがプリーツの折り目と重なる位置に形成されていることが、マスク本体部の左右の端部と着用者の頬との間に生じる隙間の抑制機能を向上する上で好ましい。
【符号の説明】
【００６１】
１００  マスク
１  マスク本体部
１１  上部プリーツ
１２  下部プリーツ
１５  右端部接合部（プリーツ抑え部）
１５１  右端部第１接合部
１５２  右端部第２接合部
１５２１  上部直線部
１５２２  中央部直線部
１５２３  下部直線部
１５２４  上部斜線部
１５２５  下部斜線部
１６  左端部接合部（プリーツ抑え部）
１６１  左端部第１接合部
１６２  左端部第２接合部
１６２１  上部直線部
１６２２  中央部直線部
１６２３  下部直線部
１６２４  上部斜線部
１６２５  下部斜線部
２  右耳掛け部（耳掛け部）
３  左耳掛け部（耳掛け部）
【図１】
2020084388.tif 000003
【図２】
2020084388.tif 000004
【図３】
2020084388.tif 000005
【図４】
2020084388.tif 000006
【図５】
2020084388.tif 000007